(57)【特許請求の範囲】
【請求項１】
表面の少なくとも一部及び裏面の少なくとも一部が鏡面加工され、且つ、無理なく折り畳むことができる程度の薄さに構成され、前記裏面を対象物に密着させた上で前記表面同士が当接するように折り畳む際に、当該表面でビニール袋を挟むことにより保持するシリコン製シート。
【請求項２】
請求項１において、
前記裏面には、折り目となる部分にスリットが形成されている
ことを特徴とするシリコン製シート。
【請求項３】
請求項２において、
前記スリットは、外周端まで達しない
ことを特徴とするシリコン製シート。
【請求項４】
請求項２〜３のいずれかにおいて、
前記裏面の鏡面加工は、前記スリットを境に一方側にのみ行われている
ことを特徴とするシリコン製シート。
【請求項５】
請求項４において、
前記裏面における前記スリットを境にした他方側には、シボ加工がされている
ことを特徴するシリコン製シート。
【請求項６】
請求項１〜５のいずれかにおいて、
全体を丸型に構成した
ことを特徴とするシリコン製シート。
【発明の詳細な説明】
【技術分野】
【０００１】
本発明は、ビニール袋を保持してゴミ袋として利用する技術に関する。
【背景技術】
【０００２】
従来から、ビニール袋を引っ掛ける枠と、当該枠を固定する固定手段（吸盤構造など）を備え、固定手段によって、例えば台所のシンクに枠を固定し、更に枠にビニール袋を引っ掛けることによりゴミ袋として機能させる発明は数多く知られている（特許文献１、特許文献２、特許文献３を参照）。
【０００３】
また、ビニール袋自体にシールなどの粘着部を設け、その粘着部により所望の箇所に貼り付けてゴミ袋として機能させる発明も存在する（特許文献４、特許文献５、特許文献６を参照）。
【先行技術文献】
【特許文献】
【０００４】
【特許文献１】特開２０１５−１２７２６０号公報
【特許文献２】特開２００１−２１４４９０号公報
【特許文献３】特開２０１０−１３２８３号公報
【特許文献４】特開２０１７−２０２８７８号公報
【特許文献５】特開平８−９１５０１号公報
【特許文献６】特許第５４３８２３５号公報
【発明の概要】
【発明が解決しようとする課題】
【０００５】
しかしながら、枠や固定手段（吸盤構造など）が存在すると、汚れを落とすのに手間がかかる。特に台所のシンク周りで使うような場合は「ぬめり」なども発生するため、頻繁に水洗いして清潔に保ちたいという要望があるが、枠や固定手段（吸盤構造など）の存在はそれを邪魔する存在となる。
【０００６】
また、シールなどの粘着部がある場合、水回りでの使用に不適（剥がれやすい）事に加えて、専用の製品を購入する必要がある。即ち、例えば、普段の買い物において入手できるビニール袋（生鮮物を購入した際に水漏れ防止等の目的で包装に利用される薄手のビニール袋など）をそのまま利用することは不可能である。
【０００７】
そこで本発明は、こういった問題点を解決するべくなされたものであって、専用のビニール袋を購入する必要もなく、また、ビニール袋を固定するために複雑な構造を必要とせずにビニール袋を所望の箇所に保持できる手段を提供する事をその課題としている。
【課題を解決するための手段】
【０００８】
上記課題を解決するべく、本願発明は、表面の少なくとも一部及び裏面の少なくとも一部が鏡面加工され、且つ、無理なく折り畳むことができる程度の薄さに構成されたシリコン製シートによって、前記裏面を対象物に密着させた上で前記表面同士が当接するように折り畳む際に、当該表面でビニール袋を挟むことにより保持するものである。
【０００９】
即ち、両面（表面及び裏面）が鏡面加工され対象物に密着できるシリコン製のシートでビニール袋を挟み込んで保持・固定するのである。鏡面加工されたシリコン製シートはそれ自身で他物に対する密着力を発揮する。その結果、固定手段がなくとも単体で対象物（例えばシンクの周りや、机、壁など）に密着して自身を固定させることが出来る。また同時にその密着力を利用してビニール袋にも密着して保持するため、引っ掛ける枠も必要がない。更に、シリコン製シートで挟み込んでサンドイッチ状にビニール袋を保持するので、ビニール袋側にシールなどの粘着部がなくても保持できる。即ち専用品でなくとも、例えば普段の買い物において入手できるビニール袋などをゴミ袋として利用することができる。
【００１０】
また、前記裏面には、折り目となる部分にスリットが形成されていることを特徴とする。
【００１１】
このような構成を採用することによって、折り曲げた際の折り曲げ部の膨らみ（シリコン自体が有する可撓性によって折り曲げる前の形状に戻ろうとする力によって生じる膨らみ）を防止し、ビニール袋の保持をより確実なものとすることができる。
【００１２】
また、前記スリットは、外周端まで達しないことが望ましい。
【００１３】
このような構成を採用したことによって、使用によってスリット部分から裂けるといった不具合を防止し、長期に渡って使用することが可能となる。
【００１４】
また、前記裏面の鏡面加工は、前記スリットを境に一方側にのみ行われていることを特徴とする。更にこの他方側には、シボ加工がされていることを特徴する。
【００１５】
このような構成を採用すれば、他方側を折り畳む側として使う際に非常に使い勝手が向上する。即ち、裏面他方側の密着力が意図的に低くなるように構成されているため、折り畳む際に剥がれやすい。加えて、当該裏面の他方側は、折り畳んだ際に最上面に位置することとなるが、この面の密着力が低いためゴミなどが付着し難くなっている。
【００１６】
また、前記スリットを境として、一方側の厚みよりも他方側の厚みの方が大となるように構成されることを特徴とする。
【００１７】
このように構成すれば、他方側の重みによって折り畳み状態が維持しやすく、ビニール袋の保持がより確実なものとなる。
【００１８】
また、全体を丸型に構成したことを特徴とする。
【００１９】
このように構成すれば、周囲に応力が集中しやすい箇所が存在しないため使用による耐久性を最も確保できることに加えて、折り畳んだ際にビニール袋の奥方にまで入り込んで保持することができ、ビニール袋の保持をより確実なものとすることが可能となる。
【発明の効果】
【００２０】
本発明を適用することで、専用のビニール袋を購入する必要もなく、また、ビニール袋を固定するために複雑な構造を必要とせずにビニール袋を所望の箇所に保持できる手段を提供することができる。
【図面の簡単な説明】
【００２１】
【図１】本発明の実施形態の一例であるシリコン製シートの全体図であって、（ａ）が表面図、（ｂ）が裏面図である。
【図２】図１（ａ）のＩＩ−ＩＩ線に沿う断面図、及び部分拡大図である。
【図３】使用状態を示した図であって、（ａ）はシリコン製シートでビニール袋を保持する前段階の状態を示した図、（ｂ）は保持している状態を示した図である。
【図４】ビニール袋を保持している状態の第２の使用例を示した図である。
【図５】シリコン製シートの第２の実施例の断面図である。
【発明を実施するための形態】
【００２２】
以下、添付図面を参照しつつ、本発明の実施形態の一例であるシリコン製シート１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２３】
〈シリコン製シートの構成〉
図１及び図２に示しているように、本発明の実施形態の一例として示すシリコン製シート１００は、所望の厚み（例えば０．５ｍｍ〜２ｍｍ程度）で直径約２０ｃｍの丸型シート形状に成形されている。
【００２４】
本実施形態においては、表面１０１は前面が鏡面加工されている。また、裏面１０２の中央にはスリット１０５が形成される。このスリット１０５は外周端にまでは至らずに、その数ｍｍ手前で止まるよう構成される。
【００２５】
また、裏面１０２において、スリット１０５を境に一方側１０２ａは鏡面加工が施されており高い密着力を発揮するよう構成されているが、他方側１０２ｂは鏡面加工はされておらず、物が付着し難い「シボ加工」がなされている。
【００２６】
〈シリコン製シートの作用・機能〉
シリコン製シート１００の使い方は極めて簡単である。例えば図２に示しているように、机２０などの天板の端部にシリコン製シート１００を貼り付ける。この時、スリット１０５が形成される裏面１０２は天板側（下側）となり、表面１０１が上側となる。
【００２７】
表面１０１にビニール袋１０の開口部の一部が載るように配置し、シリコン製シート１００を２つ折にして載置したビニール袋１０の開口部の一部を挟み込むように折り畳む。その上から更に押さえ付けることにより、空気が抜けると共にビニール袋１０がサンドイッチ状に挟まれて保持される。
【００２８】
これだけで十分な保持強度を保つことが可能であるが、折り畳んだ状態でもシリコン製シート１００は薄いので、その上に重みのある物を更に置いてもよい。例えば台所のシンク周りで使う場合には、この上にまな板を置いて作業することも容易であるし、切り刻んだ野菜等を、保持するビニール袋に入れることも容易である。
【００２９】
また、シリコン製シート１００は、単純なシリコンのシートに過ぎないので、汚れた場合は丸ごと容易に洗うことができ、清潔に保つことも極めて容易である。
【００３０】
このように本願発明は、表面１０１の少なくとも一部及び裏面１０２の少なくとも一部が鏡面加工され、且つ、無理なく折り畳むことができる程度の薄さに構成されたシリコン製シート１００によって、裏面１０２を対象物（例えば机やシンク周り）に密着させた上で表面１０１同士が当接するように折り畳む際に、当該表面１０１でビニール袋１０を挟むことにより保持するものである。
【００３１】
即ち、両面（表面１０１及び裏面１０２）が鏡面加工され対象物に密着できるシリコン製のシート１００でビニール袋を挟み込んで保持・固定するのである。鏡面加工されたシリコン製シート１００はそれ自身で他物に対する密着力を発揮する。その結果、固定手段がなくとも単体で対象物（例えばシンクの周りや、机、壁など）に密着して自身を固定させることが出来る。また同時にその密着力を利用してビニール袋１０にも密着して保持するため、引っ掛ける枠も必要がない。更に、シリコン製シート１００で挟み込んでサンドイッチ状にビニール袋を保持するので、ビニール袋１０側にシールなどの粘着部がなくても保持できる。即ち専用品でなくとも、例えば普段の買い物において入手できるビニール袋１０などをゴミ袋として利用することができる。
【００３２】
また、裏面１０２には、折り目となる部分にスリット１０５が形成されていた。これによって、折り曲げた際の折り曲げ部の膨らみ（シリコン自体が有する可撓性によって折り曲げる前の形状に戻ろうとする力によって生じる膨らみ）を防止し、ビニール袋１０の保持をより確実なものとすることができる。
【００３３】
また、スリット１０５は、外周端まで達しない構成とされていた。このような構成を採用したことによって、使用によってスリット１０５部分から裂けるといった不具合を防止し、長期に渡って使用することが可能となっている。
【００３４】
また、裏面１０２の鏡面加工は、スリット１０５を境に一方側１０２ａにのみ行われていた。更に他方側１０２ｂには、シボ加工が施されていた。
【００３５】
このような構成を採用すれば、他方側１０２ｂを折り畳む側として使う際に非常に使い勝手が向上する。即ち、裏面１０２の他方側１０２ｂの密着力が意図的に低くなるように構成されているため、折り畳む際に（机やシンク周りの天板から）剥がれやすい。加えて、裏面１０２の他方側１０２ｂは、折り畳んだ際に最上面に位置することとなるが（図３（ｂ）参照）、この面の密着力が低いためゴミなどが付着し難くなっている。
【００３６】
また、図５に示しているように、スリット２０５を境として、一方側（Ｗ１）の厚みよりも他方側（Ｗ２）の厚みの方が大となるように構成してもよい。このように構成すれば、他方側（Ｗ２）の重みによって折り畳み状態が維持しやすく、ビニール袋の保持がより確実なものとなる。
【００３７】
また、シリコン製シート１００全体が丸型に構成されていた。このように構成すれば、周囲に応力が集中しやすい箇所が存在しないため使用による耐久性を最も確保できることに加えて、図４に示しているように、折り畳んだ際にビニール袋１０の奥方αにまで入り込んで保持することができ、ビニール袋１０の保持をより確実なものとすることが可能となる。
【００３８】
〈その他の構成例〉
上記では、裏面１０２にスリット１０５が形成されていたら、スリットを設けない構成を採用してもよい。
【００３９】
また、上記では、スリット１０５が１本の構成を例に説明しているが、複数設けられていてもよい。そのように構成すれば、所望の箇所で折り曲げて保持し易くなる。
【００４０】
また、上記では、裏面１０２の一方側だけに鏡面加工が施されていたが、全面に渡って鏡面加工を施してもよい。
【００４１】
また、上記では、シリコン製シート１００全体が丸型に構成されていたが、必ずしも丸型に限定されるものではない。楕円形や四角形など使用場所に応じて最適な形状を選択することは自由である。
【００４２】
また、上記では、シリコン製シート１００を折り畳みその間にビニール袋１００を挟み込むようにして保持する使い方を示しているが、使い方はこれに限定されない。例えば壁面にシリコン製シート１００を貼り付け、表面にメモなどを一時的に貼り付けておくような使い方も可能である。
【符号の説明】
【００４３】
１０・・・ビニール袋
２０・・・机
１００・・・シリコン製シート
１０１・・・表面
１０２・・・裏面
１０５・・・スリット
【要約】      （修正有）【課題】専用のビニール袋を購入する必要がなく、また、ビニール袋を固定するために複雑な構造を必要とせずにビニール袋を所望の箇所に保持できる手段を提供する。【解決手段】表面１０１の少なくとも一部及び裏面１０２ａ，ｂの少なくとも一部が鏡面加工され、且つ、無理なく折り畳むことができる程度の薄さに構成されたシリコン製シート１００で、裏面１０２ａ，ｂを対象物に密着させた上で表面１０１同士が当接するように折り畳む際に、当該表面１０１でビニール袋１０を挟むことにより保持する。【選択図】図３【図１】
0006764213.tif 000002
【図２】
0006764213.tif 000003
【図３】
0006764213.tif 000004
【図４】
0006764213.tif 000005
【図５】
0006764213.tif 000006